(57)【要約】【課題】  スカート部を備えた水洗便器を床面に固定する場合に螺子等の固定部材が便器本体の外側面に露出せず外観上見栄えがよく、水洗便器の取り替え、排水ソケットのメンテナンス等による床面からの取り外し作業が容易に行なうことができる水洗便器の固定構造を提供すること。【解決手段】  排出口を排水ソケット内に差し込んで水密状態を保持して前後左右方向に移動可能でスカート部を備えた水洗便器を床面に固定する固定構造であって、スカート部の内側の床面に配置して固定する固定片とこの固定片から略水平方向に突出した固定ピンとを有する固定部材と、スカート部の内側に一体成形で構成した内壁部に固定ピンが差し込まれる固定ピン差込部とを備え、固定部材を床面の所定位置に固定し、排出口を排水ソケット内に差し込んで水洗便器を床面に載置した後便器の後方側に移動させることにより固定ピンを固定ピン差込部に進入させて係止する。【選択図】  図１
2006328833.tif 000002
【特許請求の範囲】
【請求項１】
排出口を排水ソケット内に差し込んで水密状態を保持して前後左右方向に移動可能でスカート部を備えた水洗便器を床面に固定する水洗便器の固定構造であって、
前記スカート部の内側の床面に配置して固定する固定片とこの固定片から略水平方向に突出した固定ピンとを有する固定部材と、
前記スカート部の内側に内壁部を一体成形で構成しこの内壁部に前記固定ピンが差し込まれる固定ピン差込部とを備え、
前記固定部材を床面の所定位置に固定し、前記排出口を前記排水ソケット内に差し込んで前記水洗便器を床面に載置した後便器の後方側に移動させることにより前記固定ピンを前記固定ピン差込部に進入させて係止することを特徴とする水洗便器の固定構造。
【請求項２】
前記固定片は前記固定ピンの床面からの高さ位置を調節する高さ位置調節機構を備えていることを特徴とする請求項１記載の水洗便器の固定構造。
【請求項３】
前記固定ピンにその突出方向と反対方向から力が作用した場合、前記固定ピンの突出長さを縮小させる突出長さ縮小機構を備えていることを特徴とする請求項１または２記載の水洗便器の固定構造。
【発明の詳細な説明】
【技術分野】
【０００１】
本発明は、スカート部を備えた水洗便器の床面への固定構造に関する。
【背景技術】
【０００２】
従来、スカート部を備えた水洗便器の床面に固定する固定構造として、水洗便器の前方側の１ヶ所と後方側の２ヶ所で床面に固定している。そして前方側の１ヶ所はスカート部内側で床面に固定した固定片に対して、スカート部に設けた貫通穴に外側から螺子を貫通して固定片に螺子込んで固定している。（例えば、特許文献１参照）
【０００３】
また、スカート部の内側に固定部を差し込む穴を設けて、床に固定した固定板の一端を差し込んで固定する構造がある。（例えば、特許文献２参照）
【０００４】
上記特許文献２の固定構造について、図１２、図１３に基づいて説明する。図１２は便器構成を一部破断して示す説明図であり、図１３は図１２に示す便器を床面に施工する様子を示した図である。図１２に示すように、便座３２と洗浄水用のロータンク３３を備えた便器３１の便器排水管３４を排水管３５に挿入した状態で、前方部を略Ｌ字型金具３６によって、また後方の固定部４６を木ネジ３７によって床面３８に固定する。略Ｌ字型金具３６は、図１３に示したように、床面当接面３９と上方ハネ上げ片４０とからなっており、床面当接面３９には、これを床面３８に木ネジで固定するためのネジ穴４１が設けられている。
【０００５】
略Ｌ字型金具３６を用いて便器３１を取付け固定するには、まず便器３１を床面３８に据え付ける前に、排水管３５を床面３８よりも高い位置で切断し、この切断部にゴムジョイント４２を配設する。次に、略Ｌ字型金具３６を木ネジ４３によって床面３８に固定する。この時、略Ｌ字型金具３６の固定位置は、その上方ハネ上げ片４０が、図１２に示した便器３１の前方内壁面４４のスリット４５に挿入されるように位置取りする。
【０００６】
このようにして略Ｌ字型金具３６を固定した後に、略Ｌ字型金具３６の上方ハネ上げ片４０が便器３１の前方内壁面４４のスリット４５に挿入され、かつ便器排水管３４の先端が排水管３５のゴムジョイント４２に嵌合するように便器３１を床面３８上に据え付ける。この段階で、便器３１の前方部は略Ｌ字型金具３６によって固定された状態となる。便器の後方部に設けた固定部４６から木ネジ３７を打ち込み、便器３１の後部を床面３８に固定する。こうして便器３１の取付けは完了する。
【０００７】
特許文献１の水洗便器の固定構造においては、従来の水洗便器に比べ、左右、前方部の３点で床面に確実に固定することができるが、前方部に貫通孔が開くことでデザイン上の美観を損なうことや、スカート部を伝って滴下した小便が貫通孔からスカート部の内部に入り込み床染みを作ってしまう問題がある。
【０００８】
また、特許文献２の水洗便器の固定構造においては、固定ビス用の穴は不要となるがこの構造では水洗便器と排水管との接続を固定した後では、水洗便器と固定板の接続が難しく、また水洗便器と固定板の接続した後では排水管との固定が出来ず、施工の際には水洗便器と固定板と排水管を同時にセットすることが必要となり、施工時の取り付け余裕が非常に狭くなる恐れがあった。
【０００９】
【特許文献１】特開平９−２１１６１
【特許文献２】実開平５−１０５８７
【発明の開示】
【発明が解決しようとする課題】
【００１０】
そこで、本発明は、スカート部を備えた水洗便器を床面に固定する場合に、固定用の螺子等の固定部材が便器本体の外側面に露出せず外観上見栄えがよく、しかも水洗便器と排水管とを接続した状態で固定部材に固定する作業が容易に行なえる水洗便器の固定構造を提供することを目的とする。
【課題を解決するための手段】
【００１１】
上記課題を解決するために、請求項１記載の本発明は、排出口を排水ソケット内に差し込んで水密状態を保持して前後左右方向に移動可能でスカート部を備えた水洗便器を床面に固定する水洗便器の固定構造であって、前記スカート部の内側の床面に配置して固定する固定片とこの固定片から略水平方向に突出した固定ピンとを有する固定部材と、前記スカート部の内側に内壁部を一体成形で構成しこの内壁部に前記固定ピンが差し込まれる固定ピン差込部とを備え、前記固定部材を床面の所定位置に固定し、前記排出口を前記排水ソケット内に差し込んで前記水洗便器を床面に載置した後便器の後方側に移動させることにより前記固定ピンを前記固定ピン差込部に進入させて係止することを特徴とする。
【００１２】
上記のように構成された本発明においては、水洗便器の外周面からの貫通穴を貫通するような螺子および化粧キャップが不要となるため、水洗便器の外観意匠性が向上する。そして、排出口を排水ソケット内に差し込んで水密状態を保持して前後左右方向に移動可能であるため水洗便器を便器後方側にずらした状態で床面に載置し、その後便器前方側に移動させることにより固定ピンを固定ピン差込部の容易に差し込むことができる。また、水洗便器を取り外す場合は水洗便器を便器後方側にずらして固定ピンを固定ピン差込部から引き抜いた状態にして、上方に持ち上げて水洗便器の排出口を排水ソケットから引き抜いて移動させる。
【００１３】
また、請求項２記載の本発明は、前記固定部材は前記固定ピンの床面からの高さ位置を調節する高さ位置調節機構を備えていることを特徴とする。
上記のように構成された本発明においては、水洗便器の内側壁に設けた固定ピン差込部の高さ位置が水洗便器の製造過程で多少ずれていた場合でも、高さ位置調節機構により固定ピンの高さ位置を固定ピン差し込み部の高さ位置に合せることができる。
【００１４】
また、請求項３記載の本発明は、前記固定ピンにその突出方向と反対方向から力が作用した場合、前記固定ピンの突出長さを縮小させる突出長さ縮小機構を備えていることを特徴とする。
上記のように構成された本発明においては、固定ピンが固定ピン差込部に入り込んで突き当たった後、固定ピンの突出長さを縮小することで更に水洗便器を便器後方側に移動することができる。それにより、例えば水洗便器を後方の壁面に近接して配置することが可能となり、水洗便器の前方空間が広いトイレ空間を形成することができる。
【発明の効果】
【００１５】
本発明によれば、スカート部を備えた水洗便器の床面に固定する場合に、固定部材が便器本体の外側面に露出せず外観上見栄えがよく、水洗便器の床面への固定作業、床面からの取り外し作業を容易に行なうことができる。
【発明を実施するための最良の形態】
【００１６】
以下、図面に基づいて本発明に係る水洗便器の固定構造の実施形態を説明する。
（第１の実施形態）
図１は本発明に係る第１の実施形態の水洗便器の固定構造を説明する断面図、図２は図１の固定部材と排水ソケットの位置関係を示した図、図３は図１の水洗便器を床面に載置する前の状態図、図４は図１の水洗便器の後方図、図５は図１の水洗便器の上面図である。図６、図７はそれぞれ第１の実施形態の固定部材の側面方向からの中央断面図及び正面方向の中央断面図である。
【００１７】
水洗便器Ａは陶器製で、図１に示すように排泄物受け面であるボウル部１、ボウル部１の上部開口縁を形成するリム部２、ボウル部１の後方に設けられたタンク部９、ボウル部１の外側に設けられたスカート部１０、水洗便器Ａの前方側のスカート部１０の内側に設けられた内壁部１０ａ、ボウル部１の下部の開口から連設した上昇管路３ａと立下管路３ｂからなるトラップ３を一体的に形成している。そして、内壁部１０ａには後述する固定ピンと対向した位置に固定ピンが差し込まれる貫通した固定ピン差込孔１０ｂを穿設している。
【００１８】
立下管路３ｂの開口端と接続する排水ソケット５は、胴体部４と、その上に載設した嵌合部品８と、弾性部材で形成したパッキン７とにより構成されている。パッキン７の一端部は嵌合部品８の内側面まで延設し、他端部は胴体部４の上部外側面まで延設して嵌合部品８と胴体部４との間をシールしている。そして、パッキン７は前記一端部と他端部との間にたるみを持たせた形状部、または蛇腹形状部を設けて嵌合部品８が胴体部４の上縁部を前後左右方向に移動できるようにしている。
【００１９】
固定部材６は、床面ＦＬに固定するための床固定部１４、床固定部１４から立設した固定ピン支持部１３、固定ピン支持部１３から略水平に突出した固定ピン１２から構成している。固定ピン支持部１３は床固定部１４に配設した雌螺子部（図示しない）と螺合する雄螺子部材１１に連結しており、固定ピン支持部１３を回転させることによって固定ピン１２の高さ位置を変更できようにしている。また、床固定部１４の左右には貫通孔１４ａ、１４ａが設けられており、この貫通孔１４ａ、１４ａを通して床固定ねじ１５、１５を床にねじ込んで固定している。
【００２０】
次に、水洗便器Ａを床面に固定する手順について説明する。図２に示すように、まず床面ＦＬに所定の取り合い寸法に従って、排水ソケット５と固定部材６を固定する。この時、排水ソケット５を構成する部品である嵌合部品８は、胴体部４の上縁部の一方、図２では固定部材６側に片寄せ状態にしてパッキン７により片寄せ状態の位置を保持してある。
次に、水洗便器Ａの固定ピン差込穴１０ｂの水洗便器Ａの下端からの高さを事前に測定し、固定ピン１２の高さ位置と固定ピン差込穴１０ｂの位置が合わない場合には、固定ピン１２の高さを雄螺子部材１１と床固定部１４に配設した雌螺子部（図示しない）によって固定ピン１２が固定ピン差込穴１０ｂに嵌挿可能な位置に調整する。
【００２１】
次に、図３に示すように水洗便器Ａを真上から排水ソケット５及び固定部材６を覆い隠すようにして、排水ソケット５のパッキン７に立下管路３ｂの開口端を差し込んだ後床面ＦＬ上に設置させる。この時、固定部材６及び固定ピン１２は水洗便器Ａのスカート部１０の内側に配置した状態となっている。
【００２２】
排水ソケット５の胴体部４と嵌合部品８はパッキン７を介して固定されているため前後左右方向にずらすことができ、立下管路３ｂと接続した状態で水洗便器Ａを前方側に移動することができ、これにより、固定ピン１２が固定ピン差込穴１０ｂに差し込まれる。その後、水洗便器Ａの後方側の左右を固定ねじ１６、１６により床面ＦＬに固定する。床面ＦＬに対して固定ピン１２と後方側の左右２ヶ所で固定できるため、がたつきのない固定ができる。
また、水洗便器Ａを取り替える場合でも上記逆の手順を行なうことにより、床面ＦＬから容易に水洗便器Ａを取り外すことができる。
【００２３】
（第２の実施形態）
次に、固定部材の別の実施形態について説明する。図８、図９はそれぞれ第２の実施形態の固定部材の側面方向からの中央断面図及び正面方向の中央断面図である。固定部材の床固定部及び固定ピン支持部の高さを調整する構造については、第１の実施形態と同様であるので同じ符号を付して説明を省略する。
この実施形態の固定部材６６は、固定ピン支持部２４の中央部に行き止まり状の固定ピン収容穴２９を穿設している。固定ピン収容穴２９内に圧縮コイルバネ２７を配置し、圧縮コイルバネ２７の端部に底板２８を連結し、底板２８に固定ピン２２を固定している。そして、固定ピン２２の先端部に押圧力が作用すると底板２８と固定ピン２２の一部が固定ピン収容穴２９内に収容された状態となる。
【００２４】
第１の実施形態の場合と同様に、排水ソケット５と固定部材６６を図１０に示すように所定の取り合いにて床面ＦＬに固定する。水洗便器Ａを真上から排水ソケット５及び固定部材６を覆い隠すようにして、排水ソケット５のパッキン７に立下管路３ｂの開口端を差し込んだ状態で床面ＦＬに載置する。その後、水洗便器Ａを前方側に移動することにより、図１１に示すように固定ピン２２が固定ピン差込穴１０ｂに差し込まれる。この第２の実施形態の構成では固定ピン２２が、固定ピン差込穴１０ｂの内側の壁に突き当たっても固定ピン支持部２４の固定ピン収容穴２９内に押し込まれて固定ピン２２の突出長さが縮小してゆくため任意の位置で固定できる。尚、突き当たった状態では圧縮コイルバネ２７により固定ピン２２は底板２８を介して押し戻す力がかかっているため、仮に施工をやり直す場合でも固定ピン２２は自動的に初期位置に戻る。
【００２５】
この構成により、施工調整範囲を広くとれ、排水管の立ち上げ位置がずれていても楽に施工できるようになる。また、タンク部９を壁面に近接若しくは突き当てるように設置することもでき、タンク部９と壁面２９との隙間を小さくすることで、設置時の見栄えを向上させることも可能となる。
【図面の簡単な説明】
【００２６】
【図１】本発明に係る第１の実施形態の水洗便器の固定構造を説明する断面図
【図２】図１の排水ソケットと固定片の位置関係を示した図
【図３】図１の水洗便器を床面に載置する前の状態図
【図４】図１の水洗便器の後方図
【図５】図１の水洗便器の上面図
【図６】第１の実施形態の固定部材の側面方向からの中央断面図
【図７】第１の実施形態の固定部材の正面方向の中央断面図
【図８】第２の実施形態の側面方向からの中央断面図
【図９】第２の実施形態の固定部材の正面方向の中央断面図
【図１０】第２の実施形態の固定片部材と排水ソケットの位置関係を示した図
【図１１】第２の実施形態の水洗便器の固定構造を説明する断面図
【図１２】特許文献２に記載の便器構成を一部破断して示す説明図
【図１３】図１２に示す便器を床面に施工する様子を示した図
【符号の説明】
【００２７】
Ａ…水洗便器
１…ボウル部
２…リム部
３…トラップ部
３ａ…上昇管路
３ｂ…立下管路
４…胴体部
５…排水ソケット
６、６６…固定部材
７…パッキン
８…嵌合部品
９…タンク部
１０…スカート部
１０ａ…内壁部
１０ｂ…固定ピン差込穴
１１…高さ調整ねじ
１２、２２…固定ピン
１３、２４…固定ピン支持部
１４…床固定部
１５…固定ねじ
１６…固定ねじ
２７…固定ピン収容穴
２８…底板
２９…圧縮コイルバネ
３１…便器
３２…便座
３３…ロータンク
３４…便器排水管
３５…排水管
３６…略Ｌ字型金具
３７、４３…木ネジ
３８…床面
３９…床面当接面
４０…上方ハネ上げ片
４１…ネジ穴
４２…ゴムジョイント
４４…前方内壁面
４５…スリット
４６…固定部
【図１】
2006328833.tif 000003
【図２】
2006328833.tif 000004
【図３】
2006328833.tif 000005
【図４】
2006328833.tif 000006
【図５】
2006328833.tif 000007
【図６】
2006328833.tif 000008
【図７】
2006328833.tif 000009
【図８】
2006328833.tif 000010
【図９】
2006328833.tif 000011
【図１０】
2006328833.tif 000012
【図１１】
2006328833.tif 000013
【図１２】
2006328833.tif 000014
【図１３】
2006328833.tif 000015